(57)【要約】【課題】コストの上昇を抑制しつつ、機能ユニット間のサージの回り込みを防止できる水まわり設備システム及びリモコンを提供する。【解決手段】水まわりに設けられる複数の機能ユニットと、前記複数の機能ユニットと有線接続されるリモコンと、を備えた水まわり設備システムにおいて、前記リモコンには、前記複数の機能ユニットの内、一部の前記機能ユニットと別の前記機能ユニットとの間に接続される絶縁回路が設けられる。【選択図】図１
2019153953.tif 000002
【特許請求の範囲】
【請求項１】
水まわりに設けられる複数の機能ユニットと、
前記複数の機能ユニットと有線接続されるリモコンと、
を備え、
前記リモコンには、前記複数の機能ユニットの内、一部の前記機能ユニットと別の前記機能ユニットとの間に接続される絶縁回路が設けられた水まわり設備システム。
【請求項２】
前記複数の機能ユニットの少なくとも一部と、前記リモコンと、の少なくともいずれかに接続される無線モジュールをさらに備える請求項１記載の水まわり設備システム。
【請求項３】
水まわりに設けられ、それぞれが電源に接続される複数の機能ユニットと、
前記複数の機能ユニットと通信ハブを介して有線接続されるリモコンと、
を備え、
前記通信ハブには、前記複数の機能ユニットの内、一部の前記機能ユニットと別の前記機能ユニットとの間に接続された絶縁回路が設けられ、
前記リモコンには、前記複数の機能ユニットのいずれか及び前記通信ハブを介して電力が供給される水まわり設備システム。
【請求項４】
前記複数の機能ユニットの少なくとも一部と、前記通信ハブと、の少なくともいずれかに接続される無線をさらに備える請求項３記載の水まわり設備システム。
【請求項５】
水まわりの複数の機能ユニットとそれぞれ接続される複数の通信インターフェースを備え、
前記複数の通信インターフェースの一部には、絶縁回路が設けられたリモコン。
【発明の詳細な説明】
【技術分野】
【０００１】
本発明の態様は、一般的に、水まわり設備システム及びリモコンに関する。
【背景技術】
【０００２】
水まわりの設備の使い勝手を向上するために、１つのリモコンで、水まわりに設けられる複数の機能ユニットを操作可能にした水まわり設備システムがある。１つのリモコンと複数の機能ユニットとを接続する場合、これらを、無線で接続する方法と、有線で接続する方法と、がある。
【０００３】
水まわりには、例えば浴室のユニットバス（以下、ＵＢと呼称する）のように、空間が鋼板などの金属で覆われていることがある。無線接続の場合、鋼板等の金属によって電波が反射され、通信が不安定となりうる。従って、浴室のＵＢ等のような設備に設置される水まわり設備システムでは、リモコンと複数の機能ユニットとの接続は、有線接続であることが望ましい。
【先行技術文献】
【特許文献】
【０００４】
【特許文献１】特開２００３−６５５５３号公報
【特許文献２】特開２００１−４２１５号公報
【発明の概要】
【発明が解決しようとする課題】
【０００５】
リモコンと複数の機能ユニットとが有線接続される場合において、ある機能ユニットから別の機能ユニットに、例えば雷によるサージの回り込みが発生すると、機能ユニットが破壊される。
【０００６】
ここで、複数の機能ユニットの中から選択的にリモコンに接続される場合がある。
このときのサージの回り込みの対策として、それぞれの機能ユニット間に絶縁回路を設けることが考えられる。この場合、その機能ユニットと別の機能ユニットが１つのリモコンに有線接続される際には、絶縁回路が必要であるが、１つのリモコンにその機能ユニットのみが有線接続される場合には、絶縁回路が不要となる。絶縁回路が不要な場合にまで機能ユニットに絶縁回路が設けられることで、機能ユニットのコストが増加してしまう。
【０００７】
あるいは、絶縁回路を含む機能ユニットと、絶縁回路を含まない機能ユニットと、を用意することが考えられる。しかし、この場合も、どの機能ユニットが選択されてリモコンと接続されるかが使用者によって変わるため、機能ユニットの種類（品番数）が増加し、管理コストが上昇する。
【０００８】
本発明は、かかる課題の認識に基づいてなされたものであり、コストの上昇を抑制しつつ、機能ユニット間のサージの回り込みを防止できる水まわり設備システム及びリモコンを提供することを目的とする。
【課題を解決するための手段】
【０００９】
第１の発明は、水まわりに設けられる複数の機能ユニットと、前記複数の機能ユニットと有線接続されるリモコンと、を備え、前記リモコンには、前記複数の機能ユニットの内、一部の前記機能ユニットと別の前記機能ユニットとの間に接続される絶縁回路が設けられた水まわり設備システムである。
【００１０】
この水まわり設備システムによれば、１つのリモコンで水まわりの複数の機能ユニットを操作でき、使い勝手が向上する。
また、リモコンには、一部の機能ユニットと別の機能ユニットとの間に接続される絶縁回路が設けられる。これにより、複数の機能ユニットのいずれかとリモコンとを電気的に接続し、それらの間での電力供給を可能としつつ、一部の機能ユニットと別の機能ユニットとは電気的に絶縁される。このため、機能ユニット同士の間でのサージの回り込みを防止できる。
さらに、リモコンに絶縁回路が設けられることで、機能ユニットに絶縁回路を設ける必要が無い。すなわち、複数の機能ユニットのそれぞれについて、絶縁回路を含むものと、絶縁回路を含まないものと、を用意する必要が無い。
従って、この水まわり設備システムによれば、コストの上昇を抑制しつつ、機能ユニット間のサージの回り込みを防止でき、且つ使い勝手を向上できる。
【００１１】
第２の発明は、第１の発明において、前記複数の機能ユニットの少なくとも一部と、前記リモコンと、の少なくともいずれかに接続される無線モジュールをさらに備える水まわり設備システムである。
【００１２】
この水まわり設備システムによれば、無線モジュールにより、別の無線リモコンや無線機能を有する別の機能ユニットと無線通信することができる。このため、これらの無線リモコンや別の機能ユニットを用いて、機能ユニットを遠隔操作することができる。
【００１３】
第３の発明は、水まわりに設けられ、それぞれが電源に接続される複数の機能ユニットと、前記複数の機能ユニットと通信ハブを介して有線接続されるリモコンと、を備え、前記通信ハブには、前記複数の機能ユニットの内、一部の前記機能ユニットと別の前記機能ユニットとの間に接続された絶縁回路が設けられ、前記リモコンには、前記複数の機能ユニットのいずれか及び前記通信ハブを介して電力が供給される水まわり設備システムである。
【００１４】
この水まわり設備システムによれば、１つのリモコンで水まわりの複数の機能ユニットを操作でき、使い勝手が向上する。
また、通信ハブには、一部の機能ユニットと別の機能ユニットとの間に接続される絶縁回路が設けられる。これにより、複数の機能ユニットのいずれかとリモコンとを電気的に接続し、それらの間での電力供給を可能としつつ、一部の機能ユニットと別の機能ユニットとは電気的に絶縁される。このため、機能ユニット同士の間でのサージの回り込みを防止できる。
さらに、通信ハブに絶縁回路が設けられることで、機能ユニットに絶縁回路を設ける必要が無い。すなわち、複数の機能ユニットのそれぞれについて、絶縁回路を含むものと、絶縁回路を含まないものと、を用意する必要が無い。
従って、この水まわり設備システムによれば、コストの上昇を抑制しつつ、機能ユニット間のサージの回り込みを防止でき、且つ使い勝手を向上できる。
【００１５】
第４の発明は、第３の発明において、前記複数の機能ユニットの少なくとも一部と、前記通信ハブと、の少なくともいずれかに接続される無線モジュールをさらに備える水まわり設備システムである。
【００１６】
この水まわり設備システムによれば、無線モジュールにより、別の無線リモコンや無線機能を有する別の機能ユニットと無線通信することができる。このため、これらの無線リモコンや別の機能ユニットを用いて、機能ユニットを遠隔操作することができる。
【００１７】
第５の発明は、水まわりの複数の機能ユニットとそれぞれ接続される複数の通信インターフェースを備え、前記複数の通信インターフェースの一部には、絶縁回路が設けられたリモコンである。
【００１８】
このリモコンによれば、複数の機能ユニットを操作できるため、使い勝手が向上する。そして、絶縁回路を含む通信インターフェースと、絶縁回路を含まない通信インターフェースと、を備えることで、機能ユニットにおける絶縁回路の有無に応じて、接続される通信インターフェースを適宜選択できる。
従って、このリモコンによれば、使い勝手を向上できるとともに、より多様な水まわり設備システムに対応できる。
また、複数の通信インターフェースの一部には、絶縁回路が設けられている。これにより、複数の通信インターフェースの別の一部を介して接続される機能ユニットとリモコンとを電気的に接続し、それらの間での電力供給を可能としつつ、複数の通信インターフェースの上記一部により、別の機能ユニットとリモコンとは電気的に絶縁される。このため、ある機能ユニットから別の機能ユニットへのサージの回り込みを防止できる。さらに、リモコンに絶縁回路が設けられることで、機能ユニットに絶縁回路を設ける必要が無い。すなわち、複数の機能ユニットのそれぞれについて、絶縁回路を含むものと、絶縁回路を含まないものと、を用意する必要が無い。
従って、このリモコンを水まわり設備システムに用いることで、機能ユニット間のサージの回り込みを防止でき、且つ水まわり設備システムのコストを低減できる。
【発明の効果】
【００１９】
本発明の態様によれば、コストの上昇を抑制しつつ、機能ユニット間のサージの回り込みを防止できる水まわり設備システム及びリモコンが提供される。
【図面の簡単な説明】
【００２０】
【図１】実施形態に係る水まわり設備システムの構成を表すブロック図である。
【図２】実施形態に係る水まわり設備システムの適用例を表す模式図である。
【図３】参考例に係る水まわり設備システムの構成を表すブロック図である。
【図４】実施形態の第１変形例に係る水まわり設備システムの構成を表すブロック図である。
【図５】実施形態の第２変形例に係る水まわり設備システムの構成を表すブロック図である。
【図６】実施形態の第３変形例に係る水まわり設備システムの構成を表すブロック図である。
【発明を実施するための形態】
【００２１】
以下、本発明の実施形態について図面を参照しつつ説明する。なお、各図面中、同様の構成要素には同一の符号を付して詳細な説明は適宜省略する。  
【００２２】
図１は、実施形態に係る水まわり設備システムの構成を表すブロック図である。
図１に表したように、実施形態に係る水まわり設備システム１は、複数の機能ユニット１１〜１３と、リモコン２１と、を備える。機能ユニット１１〜１３は、水まわりに設けられる。リモコン２１は、機能ユニット１１〜１３と、それぞれ、複数のケーブル３１〜３３を介して有線接続されている。
【００２３】
機能ユニット１１〜１３は、それぞれ、電装基板１１ａ〜１３ａを有する。電装基板１１ａ〜１３ａは、それぞれ、通信インターフェース（以下、通信ＩＦという）１１ｃ〜１３ｃを含む。リモコン２１は、制御部２１ａ、通信ＩＦ２１ｃ、及び通信ＩＦ２１ｉを有する。図１に表した例では、機能ユニット１１の通信ＩＦ１１ｃは、通信ＩＦ２１ｃと有線接続されている。機能ユニット１２及び１３の通信ＩＦ１２ｃ及び１３ｃは、それぞれ、複数の通信ＩＦ２１ｉと有線接続されている。
【００２４】
リモコン２１を操作すると、制御部２１ａにより制御信号が生成される。制御信号は、通信ＩＦ２１ｃ及び通信ＩＦ２１ｉのいずれかを介して、機能ユニット１１〜１３の通信ＩＦ１１ｃ〜１３ｃのいずれかに入力される。この制御信号により、機能ユニット１１〜１３のいずれかの動作が制御される。
なお、制御信号は、リモコンの制御部２１ａから通信ＩＦ１１ｃ〜１３ｃの全てに共通信号として送信するような仕様であってもよい。
【００２５】
機能ユニット１１〜１３は、それぞれ、電源１１ｓ〜１３ｓに接続され、これらの電源から供給される電力により駆動される。また、通信ＩＦ２１ｉには、絶縁回路が設けられている。このため、機能ユニット１１と機能ユニット１２との間及び機能ユニット１１と機能ユニット１３との間は、電気的に絶縁されている。
【００２６】
一方、通信ＩＦ２１ｃには、絶縁回路が設けられていない。このため、機能ユニット１１とリモコン２１とは電気的に接続されており、リモコン２１には、機能ユニット１１を介して電力が供給される。リモコン２１は、機能ユニット１１を介して供給される電力により、駆動される。
【００２７】
なお、本願において、「絶縁回路」とは、複数の端子を有し、一方の端子と他方の端子との間を電気的に絶縁しつつ、それらの端子間で信号の伝達を可能とするものを指す。絶縁回路としては、例えば、フォトカプラが用いられる。
【００２８】
図２は、実施形態に係る水まわり設備システムの適用例を表す模式図である。
図２に表した例では、実施形態に係る水まわり設備システム１が、浴室９１及び洗面所９２に設けられている。
【００２９】
例えば、機能ユニット１１は、浴室９１の換気、暖房、または乾燥を行う乾燥機である。機能ユニット１２は、浴室の床を洗浄する洗浄ユニットである。機能ユニット１３は、洗面所９２の換気または暖房を行う乾燥機である。
【００３０】
図２に表した例以外に、機能ユニットは、浴室９１に設けられた浴槽の湯張り、浴槽の湯の追いだきなどを行う給湯機、浴槽を洗浄する洗浄ユニット、浴室の照明ユニット、または洗面所の照明ユニットなどであっても良い。機能ユニットは、キッチン、トイレなどの他の水まわりに設けられても良い。例えば、機能ユニット１１〜１３の一部は、浴室、洗面所、キッチン、およびトイレの１つに設けられ、機能ユニット１１〜１３の別の一部は、浴室、洗面所、キッチン、およびトイレの別の１つに設けられる。複数の水まわりに設けられたこれらの機能ユニット１１〜１３の動作は、１つのリモコン２１で制御できる。
【００３１】
なお、実施形態に係る水まわり設備システム１において、リモコン２１以外に、機能ユニット１１〜１３のいずれかと接続された別のリモコンがさらに設けられていても良い。
【００３２】
浴室のＵＢのように、水まわりには、空間が鋼板などの金属で覆われていることがある。図２に表した例では、浴室９１は、鋼板９１ａで囲われている。リモコン２１を機能ユニット１１〜１３と接続する場合、これらの機器を無線接続することが考えられる。しかし、鋼板が設けられていると、鋼板で電波が反射されるため、リモコンと各機能ユニットとの間の通信が不安定になりうる。従って、水まわりでは、リモコン２１を機能ユニット１１〜１３と有線接続することが望ましい。
【００３３】
一方、リモコン２１を機能ユニット１１〜１３と有線接続した場合、電源１１ｓ〜１３ｓにサージ（例えば雷による）が加わった際に、リモコン２１を介して、別の機器にもサージが伝わる。この結果、機能ユニットが破壊される可能性がある。
【００３４】
従って、機能ユニット１１〜１３の少なくとも一部とリモコン２１との間には、絶縁回路が設けられることが望ましい。実施形態に係る水まわり設備システム１では、絶縁回路を含まない通信ＩＦ２１ｃと、絶縁回路を含む通信ＩＦ２１ｉと、がリモコン２１に設けられている。
【００３５】
通信ＩＦ１１ｃは通信ＩＦ２１ｃと接続され、通信ＩＦ１２ｃ及び１３ｃはそれぞれ複数の通信ＩＦ２１ｉと接続されている。すなわち、機能ユニット１１と機能ユニット１２との間及び機能ユニット１１と機能ユニット１３との間には、絶縁回路が接続されている。これにより、機能ユニット１１を介してリモコン２１に電力を供給しつつ、電源１１ｓから供給される電圧にサージが加わった際に、このサージが機能ユニット１２及び１３に回り込むことを防止できる。
【００３６】
実施形態の効果について、図３を参照しつつ説明する。
図３は、参考例に係る水まわり設備システムの構成を表すブロック図である。
【００３７】
図３（ａ）は、複数の機能ユニットの中から、１つの機能ユニットのみが選択されてリモコンに接続された場合を表している。図３（ａ）に表した水まわり設備システム１ａは、機能ユニット１５及びリモコン２２を備える。機能ユニット１５は、電源１５ｓに接続され、絶縁回路を含まない通信ＩＦ１５ｃと、絶縁回路を含む通信ＩＦ１５ｉと、を有する。リモコン２２は、制御部２２ａと、絶縁回路を含まない通信ＩＦ２２ｃのみと、を有する。リモコン２２の通信ＩＦ２２ｃは、機能ユニット１５の通信ＩＦ１５ｃと有線接続される。
【００３８】
水まわり設備システム１ａでは、１つの機能ユニットに対して、１つのリモコンが接続されている。機能ユニット同士の間でサージの回り込みが発生しないため、絶縁回路を含む通信ＩＦ１５ｉは用いられない。尚、絶縁回路を含む通信ＩＦ１５ｉを用いた場合、リモコン２２に電源が供給されないので、リモコン２２が動作しない。
【００３９】
図３（ｂ）は、複数の機能ユニットが選択されてリモコンに接続された場合を表している。図３（ｂ）に表した水まわり設備システム１ｂは、機能ユニット１５〜１７及びリモコン２２を備える。機能ユニット１６及び１７は、それぞれ、電源１６ｓ及び１７ｓと接続され、絶縁回路を含まない通信ＩＦ１６ｃ及び１７ｃと、絶縁回路を含む通信ＩＦ１６ｉ及び１７ｉと、を有する。リモコン２２の通信ＩＦ２２ｃは、機能ユニット１５の通信ＩＦ１５ｃ、機能ユニット１６の通信ＩＦ１６ｉ、及び機能ユニット１７の通信ＩＦ１７ｉと接続される。リモコン２２には、機能ユニット１５を介して電力が供給される。一方、機能ユニット１５と機能ユニット１６との間及び機能ユニット１５と機能ユニット１７との間には、絶縁回路が設けられるため、機能ユニット同士の間におけるサージの回り込みを防止できる。
【００４０】
機能ユニットに、絶縁回路を含む通信ＩＦと、絶縁回路を含まない通信ＩＦと、を設けることで、図３（ａ）及び図３（ｂ）に表したように、水まわり設備システムの構成に応じて、使用する通信ＩＦを選択する。
【００４１】
しかしながら、この方法では、図３（ａ）に表したように絶縁回路が不要な場合にも、機能ユニットに絶縁回路が設けられる。このため、機能ユニットのコストが上昇する。この対策として、絶縁回路を含む機能ユニットと、絶縁回路を含まない機能ユニットと、を用意することも考えられる。しかし、この場合も、機能ユニットの種類（品番数）が増加し、管理コストが上昇する。
また、各機能ユニットには、通信ＩＦ用の通信線の接続部と、絶縁回路を含む通信ＩＦ用の通信線の接続部と、の２種類の接続部が設けられることとなる。例えば、施工者がリモコンと機能ユニットとを接続しようとする際、図３（ａ）及び図３（ｂ）のいずれの場合においても、接続部が２種類存在する。そのため、施工者が誤った接続部に接続してしまうおそれがある。 
【００４２】
これらの課題について、実施形態に係る水まわり設備システム１では、図１に表したように、リモコン２１に、機能ユニットの１１と１２との間及び機能ユニット１１と１３との間に接続される絶縁回路が設けられる。これにより、機能ユニット１１〜１３の１つとリモコン２１とを電気的に接続し、それらの間での電力供給を可能としつつ、機能ユニット１１〜１３の間は電気的に絶縁される。このため、機能ユニット１１〜１３の間でのサージの回り込みを防止できる。
さらに、リモコン２１に絶縁回路が設けられることで、機能ユニット１１〜１３に絶縁回路を設ける必要が無い。すなわち、機能ユニット１１〜１３のそれぞれについて、絶縁回路を含むものと、絶縁回路を含まないものと、を用意する必要が無い。
また、機能ユニット１１〜１３がリモコン２１と接続されることで、機能ユニット１１〜１３を１つのリモコン２１で操作でき、使い勝手が向上する。
従って、本実施形態に係る水まわり設備システム１によれば、コストの上昇を抑制しつつ、機能ユニット間のサージの回り込みを防止でき、且つ使い勝手を向上できる。
【００４３】
あるいは、水まわり設備システム１を構築する際、ある機能ユニットが既に設けられており、別の機能ユニットが新たに設けられ、それらの機能ユニットに１つのリモコン２１を接続する場合がある。
例えば、リモコンが絶縁回路を含んでおらず、既設の機能ユニットが絶縁回路を含んでいない場合、新設の機能ユニットは絶縁回路を含んでいる必要がある。また、リモコンが絶縁回路を含んでおらず、既設の機能ユニットが絶縁回路を含んでいる場合、新設の機能ユニットは絶縁回路を含んでいなくても良い。このように、リモコンが絶縁回路を含んでおらず、既設の機能ユニットと新設の機能ユニットとにリモコンを接続する場合、既設の機能ユニットの構成に応じて、新設の機能ユニットの構成を選択する必要がある。
しかし、本実施形態に係るリモコン２１には、一部の機能ユニットと別の機能ユニットとの間に接続される絶縁回路が設けられている。このため、既設の機能ユニットの構成に応じて、既設及び新設の機能ユニットを接続するリモコン２１の通信ＩＦを適宜選択できる。このため、新設の機能ユニットが絶縁回路を含んでいなくても良い。
従って、本実施形態に係るリモコン２１によれば、より多様な水まわり設備システムに対応できる。また、本実施形態に係るリモコン２１を水まわり設備システム１に用いることで、機能ユニット間のサージの回り込みを防止でき、且つ水まわり設備システム１のコストを低減できる。
【００４４】
また、水まわり設備システム１において、機能ユニット同士が連動しても良い。一例として、機能ユニット１１をリモコン２１によって動作させた際に、機能ユニット１１の動作に応じて、機能ユニット１２及び１３の少なくともいずれかが、自動で動作しても良い。このように、機能ユニット同士が連動することで、水まわり設備システム１の使い勝手をさらに向上できる。
【００４５】
（第１変形例）
図４は、実施形態の第１変形例に係る水まわり設備システムの構成を表すブロック図である。
図４に表した水まわり設備システム２は、水まわり設備システム１に対して、通信ハブ４１をさらに備える。通信ハブ４１は、絶縁回路を含む通信ＩＦ４１ｉを有する。機能ユニット１２の通信ＩＦ１２ｃ及び機能ユニットの通信ＩＦ１３ｃは、それぞれ、複数の通信ＩＦ４１ｉと接続される。機能ユニット１１〜１３とそれぞれ接続されたケーブル３１〜３３は、通信ハブ４１によって集線され、通信ハブ４１とリモコン２１の通信ＩＦ２１ｃとが、ケーブル３４によって有線接続される。
【００４６】
図４に表したように、機能ユニット１１〜１３の一部と別の一部との間に接続された絶縁回路が、通信ハブ４１に設けられていても良い。この場合も、図１に表した水まわり設備システム１と同様に、機能ユニット１１〜１３の間におけるサージの回り込みを防止できる。また、機能ユニット１１〜１３のそれぞれについて、絶縁回路を含むものと、絶縁回路を含まないものと、を用意する必要が無い。
従って、本変形例に係る水まわり設備システム２によれば、コストの上昇を抑制しつつ、機能ユニット間のサージの回り込みを防止でき、且つ使い勝手を向上できる。
【００４７】
また、水まわり設備システム２では、機能ユニット１１〜１３が、それぞれ、電源１１ｓ〜１３ｓに接続されている。機能ユニット１１〜１３に電力を供給するためには、通信ハブ４１を電源と接続し、通信ハブから、機能ユニット１１〜１３の一部及びリモコン２１に電力を供給する構成も考えられる。しかし、この場合、通信ハブに供給された電圧及び電流を、それぞれの機能ユニットに適した電圧及び電流に調節する機器がさらに必要となる。機能ユニット１１〜１３がそれぞれ電源１１ｓ〜１３ｓに接続されることで、そのような調節機器が不要となる。
【００４８】
（第２変形例）
図５は、実施形態の第２変形例に係る水まわり設備システムの構成を表すブロック図である。
図５に表した水まわり設備システム３は、水まわり設備システム１に対して、無線モジュール５１をさらに備える。複数の機能ユニットの一部は、無線通信ＩＦを有する。図５に表した例では、機能ユニット１３が、無線通信ＩＦ１３ｅを有する。無線モジュール５１は、鋼板で覆われた空間の外に設置され、無線通信ＩＦ１３ｅと接続される。無線モジュール５１は、機能ユニット１３の外部に設けられていても良いし、機能ユニット１３の内部に搭載されていても良い。無線モジュール５１は、例えば、リモコン２１とは異なる別のリモコンの無線モジュールとの間で、無線通信を行う。
【００４９】
水まわり設備システム３によれば、機能ユニット１３に無線モジュール５１が接続され、別の無線リモコンや無線機能を有する別の機能ユニットと無線通信することができる。このため、これらの無線リモコンや別の機能ユニットを用いて、機能ユニット１３を遠隔操作することができる。また、無線モジュール５１で受信した信号が、リモコン２１を介して別の機能ユニット１１及び１２に送信されることで、機能ユニット１１及び１２を遠隔操作することもできる。
【００５０】
図５に表した例では、水まわり設備システム３は、無線モジュール５２をさらに備える。リモコン２１は、無線通信ＩＦ２１ｅを有し、無線モジュール５２は、無線通信ＩＦ２１ｅと接続される。無線モジュール５２は、リモコン２１の外部に設けられていても良いし、リモコン２１の内部に搭載されていても良い。無線モジュール５１に代えて、無線モジュール５２が、別の無線リモコンや無線機能を有する機能ユニットと無線通信を行っても良い。この場合も、無線モジュール５２で受信した信号が、リモコン２１を介して、機能ユニット１１〜１３に送信されることで、これらの機能ユニットを遠隔操作することができる。
なお、無線モジュール５２により別の機器と無線通信が行われる場合、無線モジュール５１が設けられなくても良いが、無線モジュール５１と５２のように複数の無線モジュールを設けてることで、別の機器との無線通信をより確実に行うことができる。 
【００５１】
（第３変形例）
図６は、実施形態の第３変形例に係る水まわり設備システムの構成を表すブロック図である。
【００５２】
図６に表した水まわり設備システム４は、水まわり設備システム３に対して、通信ハブ４１をさらに備える。水まわり設備システム４において、通信ハブ４１は、絶縁回路を含む通信ＩＦ４１ｉと、無線通信ＩＦ４１ｅと、を有する。無線通信ＩＦ４１ｅは、無線モジュール５２と接続される。例えば、無線モジュール５１及び５２の少なくとも一方は、鋼板で覆われた空間の外に設置され、別の無線リモコンや無線機能を有する別の機能ユニットと無線通信を行う。これにより、水まわり設備システム３と同様に、機能ユニット１１〜１３を遠隔操作することができる。
【００５３】
また、第２変形例と同様に、無線モジュール５１と５２のように、複数の無線モジュールを設けているため、別の無線リモコンや無線機能を有する別の機能ユニットとの無線通信をより確実に行うことができる。 
【００５４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、設備システムが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５５】
１、１ａ、１ｂ、２〜４ 水まわり設備システム、  １１〜１３、１５〜１７ 機能ユニット、  １１ａ〜１３ａ、１５ａ〜１７ａ 電装基板、  １１ｃ〜１３ｃ、１５ｃ〜１７ｃ、１２ｉ、１３ｉ、１５ｉ、１６ｉ、１７ｉ 通信インターフェース、  １１ｓ〜１３ｓ、１５ｓ〜１７ｓ 電源、  １３ｅ 無線通信インターフェース、  ２１、２２ リモコン、  ２１ａ、２２ａ 制御部、  ２１ｃ、２１ｉ、２２ｃ 通信インターフェース、  ２１ｅ 無線通信インターフェース、  ２１ｇ 通信変換部、  ３１〜３５ ケーブル、  ４１ 通信ハブ、  ４１ｅ 無線通信インターフェース、  ４１ｉ 通信インターフェース、  ５１ 無線モジュール、  ９１ 浴室、  ９１ａ 鋼板、  ９２ 洗面所
【図１】
2019153953.tif 000003
【図２】
2019153953.tif 000004
【図３】
2019153953.tif 000005
【図４】
2019153953.tif 000006
【図５】
2019153953.tif 000007
【図６】
2019153953.tif 000008